(57)【要約】【課題】視認可能な範囲を拡げ、交通信号機に近づいたときにも信号灯が見えやすく、疑似点灯現象が生じても視認性を確保しやすい交通信号灯および交通信号機を提供する。【解決手段】光源４は、電球から成る。反射鏡５は、光源４の光をドーム部５ａの開口側に向かって反射するよう構成されている。前面レンズ６は、後方の光源４からの光を受けて光るよう構成されている。部分レンズ７は、複数から成り、前面レンズ６の表面６ｃに所定の配置で突出して設けられている。部分レンズ７は、後方からの入射光線を前面レンズ６の出射方向に対し下側に屈折させて出射するよう、設けられている。【選択図】図１
2005293275.tif 000002
【特許請求の範囲】
【請求項１】
後方の光源からの光を受けて前面レンズが光る交通信号灯であって、前記前面レンズの表面に後方からの入射光線を前記前面レンズの出射方向と異なる角度に屈折させて出射する部分レンズを突出させて有することを、特徴とする交通信号灯。
【請求項２】
前記部分レンズは複数から成り、前記前面レンズの表面に所定の配置で設けられていることを、特徴とする請求項１記載の交通信号灯。
【請求項３】
請求項１または２記載の交通信号灯を有し、前記部分レンズの出射方向が前記前面レンズの出射方向に対し下側を向くよう前記交通信号灯が信号機本体に取り付けられていることを、特徴とする交通信号機。
【発明の詳細な説明】
【技術分野】
【０００１】
本発明は、交通信号灯および交通信号機に関する。
【背景技術】
【０００２】
従来の交通信号灯として、太陽光を遮光することにより疑似点灯現象が生じるのを防止し、視認性を向上させるものがある（例えば、特許文献１、２または３参照）。
【０００３】
【特許文献１】特開２００３−２１７３０９号公報
【特許文献２】特開２００３−１００１１８号公報
【特許文献３】特開２００２−１０９６８６号公報
【発明の開示】
【発明が解決しようとする課題】
【０００４】
しかしながら、特許文献１、２および３記載の交通信号灯は、視認可能な範囲を拡げるものではなく、例えば、横断歩道で交通信号機に近づいたとき、信号灯が見えにくくなるという課題があった。
【０００５】
本発明は、このような従来の課題に着目してなされたもので、視認可能な範囲を拡げ、交通信号機に近づいたときにも信号灯が見えやすく、疑似点灯現象が生じても視認性を確保しやすい交通信号灯および交通信号機を提供することを目的とする。
【課題を解決するための手段】
【０００６】
上記目的を達成するために、本発明に係る交通信号灯は、後方の光源からの光を受けて前面レンズが光る交通信号灯であって、前記前面レンズの表面に後方からの入射光線を前記前面レンズの出射方向と異なる角度に屈折させて出射する部分レンズを突出させて有することを、特徴とする。
【０００７】
本発明に係る交通信号灯は、部分レンズが光源からの入射光線を前面レンズの出射方向と異なる角度に屈折させて出射するため、前面レンズの出射方向とは異なる部分レンズの出射方向で視認することができ、視認可能な範囲を拡げることができる。このため、前面レンズが疑似点灯現象により視認困難になったときでも、部分レンズの視認性が確保される。また、部分レンズの出射方向が前面レンズの出射方向に対し下側を向くように設置することにより、横断歩道で交通信号機に近づいたときにも、部分レンズの光により信号灯が見やすくなる。さらに、疑似点灯現象により視認困難になったときでも、前面レンズの視認性を確保しやすくなる。
【０００８】
部分レンズは、前面レンズの表面に着脱可能に設けられてもよい。この場合、既存の交通信号灯に容易に取り付けることができ、安価に実施可能である。
【０００９】
本発明に係る交通信号灯で、前記部分レンズは複数から成り、前記前面レンズの表面に所定の配置で設けられていることが好ましい。この場合、部分レンズの配置により、見る者にメッセージを発したり、見る者の注意を引いたりすることができる。具体的には、例えば、青の交通信号灯は部分レンズを矢印の形に、赤の交通信号灯は部分レンズを×印の形に配置にすることができる。
【００１０】
本発明に係る交通信号機は、本発明に係る交通信号灯を有し、前記部分レンズの出射方向が前記前面レンズの出射方向に対し下側を向くよう前記交通信号灯が信号機本体に取り付けられていることを、特徴とする。
【００１１】
本発明に係る交通信号機は、部分レンズの出射方向が前面レンズの出射方向に対し下側を向いているため、前面レンズの出射方向より下側の部分レンズの出射方向で視認することができ、視認可能な範囲を下側に拡げることができる。このため、前面レンズが疑似点灯現象により視認困難になったときでも、部分レンズの視認性が確保される。また、横断歩道で交通信号機に近づいたときにも、部分レンズの光により信号灯が見やすくなる。交通信号灯の下側にいる人からの視認性が向上するため、子供や弱視者、色弱者、色盲者、高齢者などが容易に視認することができ、いわゆる交通弱者に対する安全性を高めることができる。さらに、疑似点灯現象により視認困難になったときでも、前面レンズの視認性を確保しやすくなる。
【発明の効果】
【００１２】
本発明によれば、視認可能な範囲を拡げ、交通信号機に近づいたときにも信号灯が見えやすく、疑似点灯現象が生じても視認性を確保しやすい交通信号灯および交通信号機を提供することができる。
【発明を実施するための最良の形態】
【００１３】
以下、図面に基づき、本発明の実施の形態について説明する。
図１乃至図３は、本発明の実施の形態の交通信号灯および交通信号機を示している。
図１に示すように、交通信号機１は、交通信号灯２と遮光カバー３とを有している。
【００１４】
交通信号灯２は、信号機本体に取り付けられ、光源４と反射鏡５と前面レンズ６と部分レンズ７とを有している。
光源４は、電球から成り、電源に接続されている。
反射鏡５は、ドーム部５ａとその周囲に張り出した周縁部５ｂとを有している。反射鏡５は、ドーム部５ａの内側中央に光源４が取り付けられている。反射鏡５は、光源４の光をドーム部５ａの開口側に向かって反射するよう構成されている。
【００１５】
前面レンズ６は、赤や青などに着色された透明なガラスから成る。前面レンズ６は、正面形状がほぼ矩形の正面部６ａと、正面部６ａの周縁に沿って正面部６ａに対してほぼ垂直に設けられた側壁部６ｂとを有している。前面レンズ６は、光源４が内部になるよう側壁部６ｂが反射鏡５の周縁部５ｂに固定されている。前面レンズ６は、後方の光源４からの光を受けて光るよう構成されている。前面レンズ６は、正面部６ａがほぼ水平方向を向くように取り付けられている。
【００１６】
部分レンズ７は、前面レンズ６と同じ色に着色された透明なガラスから成る。部分レンズ７は、ほぼ円形の傾斜部７ａと、傾斜部７ａの周縁に沿って設けられた取付部７ｂとを有している。部分レンズ７は、傾斜部７ａを水平より下側に向けて、前面レンズ６の表面６ｃに取付部７ｂで取り付けられている。部分レンズ７は、前面レンズ６の表面６ｃから突出して設けられている。部分レンズ７は、光源４からの入射光線を前面レンズ６の出射方向に対し下側に屈折させて出射するよう取り付けられている。なお、部分レンズ７には、市販のレンズを使用することができる。
【００１７】
部分レンズ７は、複数が前面レンズ６の表面６ｃに所定の配置で設けられている。具体的な一例では、図２（ａ）に示すように、青の交通信号灯２ａは、部分レンズ７を矢印の形に配置している。また、図２（ｂ）に示すように、赤の交通信号灯２ｂは、部分レンズ７を×印の形に配置している。
【００１８】
図１に示すように、遮光カバー３は、前面レンズ６の前方上部を覆うよう、反射鏡５の周縁部５ｂからほぼ水平に伸びて取り付けられている。遮光カバー３は、太陽の直射日光が前方上部から前面レンズ６に当たるのを遮るよう取り付けられている。
【００１９】
次に、作用について説明する。
交通信号機１は、部分レンズ７の出射方向が前面レンズ６の出射方向に対し下側を向いているため、前面レンズ６の出射方向より下側の部分レンズ７の出射方向で視認することができ、視認可能な範囲を下側に拡げることができる。このため、前面レンズ６が疑似点灯現象により視認困難になったときでも、部分レンズ７の視認性が確保される。また、横断歩道で交通信号機１に近づいたときにも、部分レンズ７の光により信号灯が見やすくなる。交通信号灯２の下側にいる人からの視認性が向上するため、子供や弱視者、色弱者、色盲者、高齢者などが容易に視認することができ、いわゆる交通弱者に対する安全性を高めることができる。さらに、疑似点灯現象により視認困難になったときでも、前面レンズ６の視認性を確保しやすくなる。
【００２０】
交通信号機１は、部分レンズ７が前面レンズ６の表面６ｃに所定の配置で設けられているため、部分レンズ７の配置により、見る者にメッセージを発したり、見る者の注意を引いたりすることができる。図２に示す例では、青信号のとき、部分レンズ７により矢印が表示されるため、進んでもよいと認識することができる。また、赤信号のとき、部分レンズ７により×印が表示されるため、進んではいけないと認識することができる。
【００２１】
なお、図３（ａ）に示すように、ドーム状に形成された前面レンズ６に部分レンズ７を取り付けてもよい。また、部分レンズ７が、傾斜部７ａの表面に下側に向いた傾斜面７ｃを有する複数のスリット７ｄを有し、傾斜部７ａの裏面に所定のパターンを有する凹凸部７ｅを有していてもよい。この場合、スリット７ｄの傾斜面７ｃにより、部分レンズ７の出射方向を下方に屈折させることができる。傾斜部７ａの裏面の凹凸部７ｅにより入射光線が様々な方向に屈折するため、部分レンズ７からの出射方向の範囲が拡がり、視認可能な範囲を広げることができる。図３（ｂ）に示すように、部分レンズ７は、凹凸部７ｅに様々なパターンのものを使用することができる。
【図面の簡単な説明】
【００２２】
【図１】本発明の実施の形態の交通信号灯および交通信号機を示す側面図である。
【図２】図１に示す交通信号灯および交通信号機の部分レンズの配置を示す（ａ）青の交通信号灯信号の正面図、（ｂ）赤の交通信号灯の正面図である。
【図３】図１に示す交通信号灯および交通信号機の（ａ）前面レンズおよび部分レンズの変形例を示す断面図、（ｂ）部分レンズの傾斜部裏面の凹凸部のパターンの変形例を示す背面図である。
【符号の説明】
【００２３】
１    交通信号機
２    交通信号灯
３    遮光カバー
４    光源
５    反射鏡
５ａ  ドーム部
５ｂ  周縁部
６    前面レンズ
６ａ  正面部
６ｂ  側壁部
７    部分レンズ
７ａ  傾斜部
７ｂ  取付部
【図１】
2005293275.tif 000003
【図２】
2005293275.tif 000004
【図３】
2005293275.tif 000005